(57)【要約】【課題】互いに重なるように形成されるドットの着弾干渉を防止して好ましいドットを得ると共に高速打滴を実現可能な液吐出装置及び打滴制御方法を提供する。【解決手段】記録紙搬送方向（副走査方向）に沿ってドット列を形成する際に、連続した打滴ではインクの飛翔方向を偏向させてインク滴の着弾位置を記録紙搬送方向に該ドット列のドット間ピッチの整数倍だけシフトさせる。タイミングt1ではノズル直下にインク滴を着弾させ、タイミングt2では上流側へ２ドット分シフトさせ、タイミングt3では下流側へ１ドット分シフトさせる。タイミングt4では上流側へ１ドット分シフトさせると初めて隣り合うドットが形成される。即ち、隣り合うドットが形成されるまでに３周期分の時間経過があり先に着弾したインク滴の浸透が進むので、先に着弾したインク滴の浸透を待たずに後の着弾したインク滴を打滴しても着弾干渉が起こらず、印字速度を維持できる。【選択図】  図１０
2005289053.tif 000002
【特許請求の範囲】
【請求項１】
被吐出媒体へ液滴を打滴する吐出孔を有する吐出ヘッドと、
前記吐出ヘッド或いは前記被吐出媒体のうち少なくとも何れか一方を前記被吐出媒体の幅方向と略直交する方向に搬送して前記吐出ヘッドと前記被吐出媒体とを相対的に一方向へ移動させる搬送手段と、
前記吐出ヘッドから打滴される液滴の飛翔方向を少なくとも前記被吐出媒体の相対搬送方向に略平行な成分を含んだ方向に偏向させる飛翔方向偏向手段と、
前記被吐出媒体の相対搬送中に打滴を行い、該相対搬送方向に隣り合うドット同士の少なくとも一部が重なるドット列を形成する際に、前記飛翔方向偏向手段を制御し、
前記被吐出媒体の相対搬送方向のドット列のドット間ピッチＰts、２種類以上の任意の整数から成るシフト量Ｉ、前記被吐出媒体の相対搬送方向の液滴着弾位置変更量ｙとの関係が、次式
ｙ＝Ｐts×Ｉ
を満たす液滴着弾位置変更量ｙだけ液滴の着弾位置を変更させ、隣接ドットの連続着弾を回避しながら液滴を着弾させる偏向制御手段と、
を備えたことを特徴とする液吐出装置。
【請求項２】
前記シフト量Ｉは、連続して打滴された液滴の着弾位置の中心間距離Δｙが、次式
Δｙ≧２×Ｐts
を満足する少なくとも２種類の整数を含むことを特徴とする請求項１記載の液吐出装置。
【請求項３】
前記シフト量Ｉは３種類以上の整数を含むことを特徴とする請求項１又は２記載の液吐出装置。
【請求項４】
前記シフト量Ｉは、次式
Ｉ＝±ｋ
を満たす２以上の１種類の自然数ｋを含むことを特徴とする請求項１又は２記載の液吐出装置。
【請求項５】
前記飛翔方向制御手段は、前記吐出ヘッドの打滴周期Tf及び被吐出媒体への液滴の浸透時間T0が、次式
Ｔｆ×（２ｋ−１）≧Ｔ0 
を満たす前記自然数ｋを設定するシフト量設定手段を含むことを特徴とする請求項４記載の液吐出装置。
【請求項６】
前記被吐出媒体の相対搬送方向に沿って形成されるドット列のうち、前記被吐出媒体の相対搬送方向に隣り合うドットを共有する２つのドットの直径Ｄ1 及び直径Ｄ2 、前記被吐出媒体相対搬送方向のドット間ピッチＰtsが、次式
Ｄ1 ＋Ｄ2 ≦２×Ｐts
を満たすようにドットの直径Ｄ1 、ドットの直径Ｄ2 或いは前記被吐出媒体相対搬送方向のドット間ピッチＰtsのうち少なくとも１つを設定する打滴制御手段を備えたことを特徴とする請求項１乃至５のうち何れか１項に記載の液吐出装置。
【請求項７】
前記吐出ヘッドは、前記被吐出媒体の全幅にわたって複数の吐出孔が配列されたフルライン型の吐出ヘッドを含むことを特徴とする請求項１乃至６のうち何れか１項に記載の液吐出装置。
【請求項８】
前記吐出ヘッドは、前記吐出孔が２次元配置されたマトリクスヘッドを含み、
前記被吐出媒体の相対搬送方向に略直交する方向に隣り合うドットを形成する液滴を吐出させる吐出孔を前記被吐出媒体の相対搬送方向に所定の距離だけシフトさせて配置することを特徴とする請求項７に記載の液吐出装置。
【請求項９】
被吐出媒体へ液滴を打滴する吐出孔を有する吐出ヘッドと、前記吐出ヘッド或いは前記被吐出媒体のうち少なくとも何れか一方を前記被吐出媒体の幅方向と略直交する方向に搬送して前記吐出ヘッドと前記被吐出媒体とを相対的に一方向へ移動させる搬送手段と、前記吐出ヘッドから打滴される液滴の飛翔方向を偏向させる飛翔方向偏向手段と、を備えた液吐出装置の打滴制御方法であって、
前記被吐出媒体の相対搬送方向にドット列を形成する際に、前記液滴飛翔方向偏向手段を用いて前記吐出ヘッドが有する吐出孔から打滴される液滴の飛翔方向を少なくとも前記被吐出媒体の相対搬送方向に略平行な成分を含んだ方向に偏向させて、前記被吐出媒体の相対搬送方向のドット列のドット間ピッチＰts、２種類以上の任意の整数から成るシフト量Ｉ、前記被吐出媒体の相対搬送方向の液滴着弾位置変更量ｙとの関係が、次式
ｙ＝Ｐts×Ｉ
を満たす液滴着弾位置変更量ｙだけ液滴の着弾位置を変更させ、隣接ドットの連続着弾を回避しながら液滴を着弾させることを特徴とする打滴制御方法。
【発明の詳細な説明】
【技術分野】
【０００１】
本発明は液吐出装置及び打滴制御方法に係り、特に吐出孔から液滴を打滴して被吐出媒体上に画像や所定のパターンなどの形状を形成する液吐出装置における打滴制御技術に関する。
【背景技術】
【０００２】
近年、画像やドキュメント等のデータ出力装置としてインクジェットプリンターが普及している。インクジェットプリンターは記録ヘッドに備えられたノズル等の記録素子をデータに応じて駆動させ、該ノズルから吐出されるインクによって記録紙などの被記録媒体（記録メディア）上にデータを形成することができる。
【０００３】
インクジェットプリンターでは、多数のノズルを有する記録ヘッドと被記録媒体とを相対的に移動させ、該ノズルからインク滴を吐出させることによって被記録媒体上に所望の画像が形成される。
【０００４】
これまでは、主に家庭やオフィスなどにおいてドキュメント類の出力装置としてインクジェットプリンターを用いてきたが、最近では、デジタルカメラなどを用いて撮影された画像の出力装置として用いられるようになってきた。また、Ａ３やポスターサイズの被記録媒体に対応した装置もあり、広告やポスターの出力装置として用いることもできるようになった。
【０００５】
画像印字では画像品質に対する要求が高く、多色（フルカラー）化、多段階調、ドットの微細化、高密度化などを図ることで高品質な画像印字が実現されている。例えば、ライトインクの使用などの多色インクの使用によって多色、多段階調を実現し、ノズル密度の高密度化や液滴サイズの微小化によってドットの高密度化、ドットサイズの微小化を実現している。また、隣り合うドットが重なるようにインクを打滴する打滴制御を行うと、被記録媒体上にドットを高密度に形成させることができる。
【０００６】
しかし、隣り合うドットを重ねて形成させる場合、先に打滴されたインクが被記録媒体に定着する前に次のインクが着弾すると、各ドットの形状が崩れてしまったり、後から着弾したインク滴が先に着弾しているインク滴の方へ寄ってしまったりして、結果画像にすじやむらが生じることがある。更に、異なる色のインクを重ねて打滴する場合には、混色が発生し、好ましい色や階調を実現できないことがある。
【０００７】
一般に、このような着弾干渉を防止するために、先に着弾したインク滴がある程度浸透するまで待ってから次のインク滴を打滴する打滴制御を行う方法や、インクが着弾した被記録媒体や被記録媒体に着弾したインクを温める温調手段を備え、該温調手段を用いてインクの定着を促進させる方法及び、画像を形成するインクに紫外線硬化型インクを用い、吐出されたインクに紫外線を照射して被記録媒体上に着弾したインクの定着を促進させる方法などが用いられる。
【０００８】
特許文献１に記載されたインクジェット記録方法および該方法が用いられるインクジェット記録装置では、並列配置された複数の記録ヘッドを被記録媒体に対して相対移動させて記録が行われるインクジェット記録方法において、異なるインクのインクドット同士の境界に接する何れか一方の１つのインクドットとそれ以外のインクドットとの記録時期をずらせて行うように構成されている。
【０００９】
また、特許文献２に記載されたインクジェット記録装置では、用紙を固定するためのドラムと、該ドラムに対してその周回方向に所定間隔で配置される複数のインクジェットヘッドとを有し、ドラムを周回させながら前記インクジェットヘッドを駆動して前記用紙にカラー印刷を実行するインクジェット記録装置において、異なる色のドット同士が着弾位置において接触もしくは重ね合わされるまでの時間ＴがＴ≧１０msecとなる様に構成されている。
【００１０】
また、特許文献３に記載された印刷方法及びこの方法に用いる印刷ヘッド装置では、帯電されたインクを用い、インクを吐出させるチャンネルが電界を発生させる電極間に設けられ、チャンネルから吐出されるインクに電界を作用させてインクの吐出方向を偏向させるように構成されている。
【００１１】
また、特許文献４に記載されたインクジェットノズル, インクジェット記録ヘッド、インクジェットカートリッジ及びインクジェット記録装置では、インクに気泡を発生させるヒータを各ノズルに複数備え、該ヒータを制御してインクに異なるバブルを発生させてインクの飛翔方向を偏向させるように構成されている。
【特許文献１】特開平６−１８３１２９号公報
【特許文献２】特開２００２−１２０３６１号公報
【特許文献３】特開２０００−１７７１１５号公報
【特許文献４】特開２０００−１８５４０３号公報
【発明の開示】
【発明が解決しようとする課題】
【００１２】
しかしながら、先に着弾したインク滴がある程度浸透するまで待って次のインク滴を吐出させると、隣接するドットの着弾時間差を必要とするために、高速印字に限界があった。また、温度や紫外線によってインクの定着を促進させる方法では、温調手段や紫外線光源が必要になると共に、使用できるインクの種類及びメディアの種類が限定されてしまうことがある。
【００１３】
特許文献１に記載されたインクジェット記録方法および該方法が用いられるインクジェット記録装置及び特許文献２に記載されたインクジェット記録装置では、異なる色間での着弾タイミングを規定して滲みや濃度の低下を防止することで高画質を実現しているが、同色インクの着弾干渉に対しては未解決であり、高速印字に対する課題は解決されていない。
【００１４】
また、特許文献３に記載された印刷方法及びこの方法に用いる印刷ヘッド装置及び特許文献４に記載されたインクジェットノズル, インクジェット記録ヘッド、インクジェットカートリッジ及びインクジェット記録装置では、吐出されるインク滴の飛翔方向を偏向させてむらなどの画像劣化を防止する方法が開示されているが、着弾干渉を防止するための制御方法及びその課題については開示されていない。
【００１５】
本発明はこのような事情に鑑みてなされたもので、互いに重なるように形成されるドットの着弾干渉を防止して好ましいドットを得ると共に高速打滴を実現可能な液吐出装置及び打滴制御方法を提供することを目的とする。
【課題を解決するための手段】
【００１６】
前記目的を達成するために請求項１に係る発明は、被吐出媒体へ液滴を打滴する吐出孔を有する吐出ヘッドと、前記吐出ヘッド或いは前記被吐出媒体のうち少なくとも何れか一方を前記被吐出媒体の幅方向と略直交する方向に搬送して前記吐出ヘッドと前記被吐出媒体とを相対的に一方向へ移動させる搬送手段と、前記吐出ヘッドから打滴される液滴の飛翔方向を少なくとも前記被吐出媒体の相対搬送方向に略平行な成分を含んだ方向に偏向させる飛翔方向偏向手段と、前記被吐出媒体の相対搬送中に打滴を行い、該相対搬送方向に隣り合うドット同士の少なくとも一部が重なるドット列を形成する際に、前記飛翔方向偏向手段を制御し、前記被吐出媒体の相対搬送方向のドット列のドット間ピッチＰts、２種類以上の任意の整数から成るシフト量Ｉ、前記被吐出媒体の相対搬送方向の液滴着弾位置変更量ｙとの関係が、次式ｙ＝Ｐts×Ｉを満たす液滴着弾位置変更量ｙだけ液滴の着弾位置を変更させ、隣接ドットの連続着弾を回避しながら液滴を着弾させる偏向制御手段と、を備えたことを特徴としている。
【００１７】
即ち、被吐出媒体の相対搬送方向に沿ってドット列を形成させる際に、吐出ヘッドから吐出される液滴の飛翔方向を少なくとも被吐出媒体の相対搬送方向に略平行な成分を含んだ方向に偏向させて、該液滴の着弾位置を被吐出媒体の相対搬送方向に所定の着弾位置変更量ｙだけ変更させ、液滴を分散した位置に着弾させる。したがって、連続して打滴された液滴はＩドット分のドット中心間距離Ｉ×Ｐtsを離して着弾されるので着弾干渉が発生せず、着弾した液滴の浸透を待たずに順次打滴を行うことができる。なお、シフト量Ｉには２種類以上の任意の整数が適用される。
【００１８】
吐出ヘッドに被吐出媒体の全幅にわたって複数の吐出孔が配列されたフルライン型の吐出ヘッドを適用すると、被吐出媒体の相対搬送方向に形成されるドット列は１つのノズルから打滴される液滴によって形成される。また、被吐出媒体相対搬送方向に隣り合う２つのドットが重なるように形成される態様には、該２つのドットが接する態様を含んでいてもよい。
【００１９】
フルライン型の吐出ヘッドを用いると、被吐出媒体を１回だけ走査させる、シングルパス制御により、被吐出媒体の吐出領域可能領域全域に液滴を吐出させることができる。
【００２０】
偏向された液滴の飛翔方向には本来の液滴の飛翔方向（吐出ヘッドが被吐出媒体に対向する面と略直交する、被吐出媒体の被吐出面に垂直方向）の成分が含まれている。また、偏向された液滴の飛翔方向のうち、被吐出媒体の相対搬送方向に略平行な成分には正方向 (例えば、被吐出媒体が固定された吐出ヘッドに対して移動する場合の被吐出媒体の進行方向）及び負方向（前記正方向と反対の方向）が含まれていてもよい。
【００２１】
正方向と負方向を交互に入れ換えてもよいし、数周期ごとに入れ換えてもよい。
【００２２】
２種類以上の任意の整数から成るシフト量Ｉには正の整数及び負の整数が含まれていてもよい。該シフト量Ｉは、飛翔方向を偏向させない本来の液滴の着弾位置から被吐出媒体の相対搬送方向に沿ってＩドット分シフトさせた位置に偏向させた液滴を着弾させることを示している。なお、シフト量Ｉにはゼロが含まれていてもよい。
【００２３】
本来の液滴の飛翔方向（被吐出媒体の被吐出面に略垂直方向）と偏向された液滴の飛翔方向とのなす角（偏向角度）をθ、液滴着弾位置変更量をｙ、吐出ヘッドと被吐出媒体のクリアランスをｚとすると、偏向角度θは、θ＝arctan（y/z ）で表される。
【００２４】
被吐出媒体は、吐出ヘッドからインク滴を吐出される媒体（メディア）であり、具体的には連続用紙やカット紙、シール用紙などの紙類、ＯＨＰシート等の樹脂シート、フイルム、布、その他材質や形状を問わず、様々な媒体を含む。なお、被吐出媒体には画像形成媒体、印字媒体、受像媒体などと呼ばれるものもある。
【００２５】
請求項２に示すように、請求項１に記載された発明は、前記シフト量Ｉは、連続して打滴された液滴の着弾位置の中心間距離Δｙが、次式Δｙ≧２×Ｐtsを満足する少なくとも２種類の整数を含むことを特徴としている。
【００２６】
このようなシフト量の設定により、ドットの直径Ｄと前記ドット間距離（ドット中心間距離）との関係が、Ｄ／２≦Ｐtsとなるドット重なり度の記録に対して、連続して打滴されるドット同士が重ならないように制御することが可能になる。
【００２７】
また、請求項３に示すように、請求項１又は２に記載された発明は、前記シフト量Ｉは３種類以上の整数を含むことを特徴としている。
【００２８】
３種類以上の整数には正及び負の整数が含まれることが好ましい。
【００２９】
また、請求項４に示すように、請求項１又は２に記載された発明は、前記シフト量Ｉは、次式Ｉ＝±ｋを満たす２以上の１種類の自然数ｋを含むことを特徴としている。
【００３０】
即ち、シフト量Ｉを１種類の自然数からなる正負の整数とすることで、打滴シーケンス（偏向のシーケンスと打滴配置設定シーケンス）を簡略化することができる。
【００３１】
また、請求項５に示すように、請求項４に記載された発明は、前記飛翔方向制御手段は、前記吐出ヘッドの打滴周期Ｔf 及び被吐出媒体への液滴の浸透時間Ｔ0 が、次式Ｔf ×（２ｋ−１）≧Ｔ0 を満たす前記自然数ｋを設定するシフト量設定手段を含むことを特徴としている。
【００３２】
即ち、ドット密度、被吐出媒体の相対搬送速度、被吐出媒体への液滴の浸透時間等の種々のパラメータ条件に対して、着弾干渉を防止する飛翔方向偏向パターンの設定が可能になる。具体的には、被記録媒体上で被記録媒体相対搬送方向に隣接するドットの着弾時間差を先に着弾したドットの浸透時間より大きくなるような偏向量バラメータｋを設定することができる。
【００３３】
また、請求項６に示すように、請求項１乃至５のうち何れか１項に記載された発明は、前記被吐出媒体の相対搬送方向に沿って形成されるドット列のうち、前記被吐出媒体の相対搬送方向に隣り合うドットを共有する２つのドットの直径Ｄ1 及び直径Ｄ2 、前記被吐出媒体相対搬送方向のドット間ピッチＰtsが、次式Ｄ1 ＋Ｄ2 ≦２×Ｐtsを満たすようにドットの直径Ｄ1 、ドットの直径Ｄ2 或いは前記被吐出媒体相対搬送方向のドット間ピッチＰtsのうち少なくとも１つを設定する打滴制御手段を備えたことを特徴としている。
【００３４】
即ち、連続して打滴される２つのドットにおけるドット径の合計が被記録媒体相対搬送方向のドット間ピッチＰt の２倍以下であれば、１つおきに隣接するドットの重なる部分がないので連続して打滴することができる。このように打滴制御を行うことで隣り合うドット間ではドットサイズ（ドットの直径）の自由度が得られ、階調性を向上させることができる。
【００３５】
また、請求項７に示すように、請求項１乃至６のうち何れか１項に記載された発明は、前記吐出ヘッドは、前記被吐出媒体の全幅にわたって複数の吐出孔が配列されたフルライン型の吐出ヘッドを含むことを特徴としている。
【００３６】
フルライン型の吐出ヘッドは、被吐出媒体の全幅に対応する長さに満たない短尺の吐出孔列を有する短尺ヘッドを千鳥状に配列して繋ぎ合わせて、被記録媒体の全幅に対応する長さとしてもよい。
【００３７】
また、請求項８に示すように、請求項７に記載された発明は、前記吐出ヘッドは、前記吐出孔が２次元配置されたマトリクスヘッドを含み、前記被吐出媒体の相対搬送方向に略直交する方向に隣り合うドットを形成する液滴を吐出させる吐出孔を前記被吐出媒体の相対搬送方向に所定の距離だけシフトさせて配置することを特徴としている。
【００３８】
即ち、高密度打滴に適した２次元配列されたノズルの配列パターンを有効に活用することができる。
【００３９】
２次元配列された吐出孔には被吐出媒体の相対搬送方向とある角度をなす方向に並べられた複数の吐出孔列を含んでいる。
【００４０】
また、前記目的を達成するために請求項９に記載された発明は、被吐出媒体へ液滴を打滴する吐出孔を有する吐出ヘッドと、前記吐出ヘッド或いは前記被吐出媒体のうち少なくとも何れか一方を前記被吐出媒体の幅方向と略直交する方向に搬送して前記吐出ヘッドと前記被吐出媒体とを相対的に一方向へ移動させる搬送手段と、前記吐出ヘッドから打滴される液滴の飛翔方向を偏向させる飛翔方向偏向手段と、を備えた液吐出装置の打滴制御方法であって、前記被吐出媒体の相対搬送方向にドット列を形成する際に、前記液滴飛翔方向偏向手段を用いて前記吐出ヘッドが有する吐出孔から打滴される液滴の飛翔方向を少なくとも前記被吐出媒体の相対搬送方向に略平行な成分を含んだ方向に偏向させて、前記被吐出媒体の相対搬送方向のドット列のドット間ピッチＰts、２種類以上の任意の整数から成るシフト量Ｉ、前記被吐出媒体の相対搬送方向の液滴着弾位置変更量ｙとの関係が、次式ｙ＝Ｐts×Ｉを満たす液滴着弾位置変更量ｙだけ液滴の着弾位置を変更させ、隣接ドットの連続着弾を回避しながら液滴を着弾させることを特徴としている。
【００４１】
即ち、被吐出媒体と吐出ヘッドとの相対関係を変えずに、高速打滴を行いながら着弾干渉が発生しない好ましい打滴が行われる。一方、被吐出媒体の相対搬送速度や液滴の吐出周期が変わると、これらに合わせて液滴着弾位置変更量の条件が変更される。
【発明の効果】
【００４２】
本発明によれば、被吐出媒体の相対搬送方向に連続して行われる打滴では、被吐出媒体の相対搬送方向に略平行な成分を含む方向に液滴の飛翔方向を偏向させて、該液滴の着弾位置を本来の着弾位置から被吐出媒体の相対搬送方向に沿って形成されるドット列のドット間ピッチの整数倍だけシフトさせるので、連続した吐出でも隣り合うようにドットが形成されず、着弾干渉を防止することができる。
【発明を実施するための最良の形態】
【００４３】
〔インクジェット記録装置の全体構成〕
図１は本発明の実施形態に係るインクジェット記録装置の全体構成図である。同図に示したように、このインクジェット記録装置１０は、インクの色ごとに設けられた複数の印字ヘッド１２Ｋ，１２Ｃ，１２Ｍ，１２Ｙを有する印字部１２と、各印字ヘッド１２Ｋ，１２Ｃ，１２Ｍ，１２Ｙに供給するインクを貯蔵しておくインク貯蔵／装填部１４と、記録紙１６を供給する給紙部１８と、記録紙１６のカールを除去するデカール処理部２０と、前記印字部１２のノズル面（インク吐出面）に対向して配置され、記録紙１６の平面性を保持しながら記録紙１６を搬送する吸着ベルト搬送部２２と、印字部１２による印字結果を読み取る印字検出部２４と、印字済みの記録紙１６（プリント物）を外部に排紙する排紙部２６と、を備えている。
【００４４】
図１では、給紙部１８の一例としてロール紙（連続用紙）のマガジンが示されているが、紙幅や紙質等が異なる複数のマガジンを併設してもよい。また、ロール紙のマガジンに代えて、又はこれと併用して、カット紙が積層装填されたカセットによって用紙を供給してもよい。
【００４５】
複数種類の記録紙を利用可能な構成にした場合、紙の種類情報を記録したバーコード或いは無線タグなどの情報記録体をマガジンに取り付け、その情報記録体の情報を所定の読取装置によって読み取ることで、使用される用紙の種類を自動的に判別し、用紙の種類に応じて適切なインク吐出を実現するようにインク吐出制御を行うことが好ましい。
【００４６】
給紙部１８から送り出される記録紙１６はマガジンに装填されていたことによる巻きクセが残り、カールする。このカールを除去するために、デカール処理部２０においてマガジンの巻きクセ方向と逆方向に加熱ドラム３０で記録紙１６に熱を与える。このとき、多少印字面が外側に弱いカールとなるように加熱温度を制御するとより好ましい。
【００４７】
ロール紙を使用する装置構成の場合、図１のように、裁断用のカッター（第１のカッター）２８が設けられており、該カッター２８によってロール紙は所望のサイズにカットされる。カッター２８は、記録紙１６の搬送路幅以上の長さを有する固定刃２８Ａと、該固定刃２８Ａに沿って移動する丸刃２８Ｂとから構成されており、印字裏面側に固定刃２８Ａが設けられ、搬送路を挟んで印字面側に丸刃２８Ｂが配置される。なお、カット紙を使用する場合には、カッター２８は不要である。
【００４８】
デカール処理後、カットされた記録紙１６は、吸着ベルト搬送部２２へと送られる。吸着ベルト搬送部２２は、ローラ３１、３２間に無端状のベルト３３が巻き掛けられた構造を有し、少なくとも印字部１２のノズル面及び印字検出部２４のセンサ面に対向する部分が水平面（フラット面）をなすように構成されている。
【００４９】
ベルト３３は、記録紙１６の幅よりも広い幅寸法を有しており、ベルト面には多数の吸引孔（不図示）が形成されている。図１に示したとおり、ローラ３１、３２間に掛け渡されたベルト３３の内側において印字部１２のノズル面及び印字検出部２４のセンサ面に対向する位置には吸着チャンバ３４が設けられており、この吸着チャンバ３４をファン３５で吸引して負圧にすることによってベルト３３上の記録紙１６が吸着保持される。
【００５０】
ベルト３３が巻かれているローラ３１、３２の少なくとも一方にモータ（図１中不図示，図７中符号８８として記載）の動力が伝達されることにより、ベルト３３は図１上の時計回り方向に駆動され、ベルト３３上に保持された記録紙１６は図１の左から右へと搬送される。
【００５１】
縁無しプリント等を印字するとベルト３３上にもインクが付着するので、ベルト３３の外側の所定位置（印字領域以外の適当な位置）にベルト清掃部３６が設けられている。ベルト清掃部３６の構成について詳細は図示しないが、例えば、ブラシ・ロール、吸水ロール等をニップする方式、清浄エアーを吹き掛けるエアーブロー方式、或いはこれらの組み合わせなどがある。清掃用ロールをニップする方式の場合、ベルト線速度とローラ線速度を変えると清掃効果が大きい。
【００５２】
なお、吸着ベルト搬送部２２に代えて、ローラ・ニップ搬送機構を用いる態様も考えられるが、印字領域をローラ・ニップ搬送すると、印字直後に記録紙１６の印字面をローラが接触するので画像が滲み易いという問題がある。したがって、本例のように、印字領域では画像面を接触させない吸着ベルト搬送が好ましい。
【００５３】
吸着ベルト搬送部２２により形成される記録紙搬送路上において印字部１２の上流側には、加熱ファン４０が設けられている。加熱ファン４０は、印字前の記録紙１６に加熱空気を吹き付け、記録紙１６を加熱する。印字直前に記録紙１６を加熱しておくことにより、インクが着弾後乾き易くなる。
【００５４】
印字部１２は、最大紙幅に対応する長さを有するライン型ヘッドを記録紙搬送方向と直交方向（主走査方向）に配置した、いわゆるフルライン型のヘッドとなっている（図２参照）。詳細な構造例は後述するが（図３乃至図５）、各印字ヘッド１２Ｋ，１２Ｃ，１２Ｍ，１２Ｙは、図２に示したように、本インクジェット記録装置１０が対象とする最大サイズの記録紙１６の少なくとも一辺を超える長さにわたってインク吐出口（ノズル）が複数配列されたライン型ヘッドで構成されている。
【００５５】
記録紙１６の送り方向（以下、記録紙搬送方向という。）に沿って上流側から黒（Ｋ）、シアン（Ｃ）、マゼンタ（Ｍ）、イエロー（Ｙ）の順に各色インクに対応した印字ヘッド１２Ｋ，１２Ｃ，１２Ｍ，１２Ｙが配置されている。記録紙１６を搬送しつつ各印字ヘッド１２Ｋ，１２Ｃ，１２Ｍ，１２Ｙからそれぞれ色インクを吐出することにより記録紙１６上にカラー画像を形成し得る。
【００５６】
このように、紙幅の全域をカバーするフルラインヘッドがインク色ごとに設けられてなる印字部１２によれば、副走査方向について記録紙１６と印字部１２を相対的に移動させる動作を一回行うだけで（即ち１回の副走査で）、記録紙１６の全面に画像を記録することができる。これにより、印字ヘッドが主走査方向に往復動作するシャトル型ヘッドに比べて高速印字が可能であり、生産性を向上させることができる。
【００５７】
なお、本例では、ＫＣＭＹの標準色（４色）の構成を例示したが、インク色や色数の組み合わせについては本実施形態に限定されず、必要に応じて淡インク、濃インクを追加してもよい。例えば、ライトシアン、ライトマゼンタなどのライト系インクを吐出する印字ヘッドを追加する構成も可能である。
【００５８】
図１に示したように、インク貯蔵／装填部１４は、各印字ヘッド１２Ｋ，１２Ｃ，１２Ｍ，１２Ｙに対応する色のインクを貯蔵するタンクを有し、各タンクは不図示の管路を介して各印字ヘッド１２Ｋ，１２Ｃ，１２Ｍ，１２Ｙと連通されている。また、インク貯蔵／装填部１４は、インク残量が少なくなるとその旨を報知する報知手段（表示手段、警告音発生手段）を備えるとともに、色間の誤装填を防止するための機構を有している。
【００５９】
印字検出部２４は、印字部１２の打滴結果を撮像するためのイメージセンサを含み、該イメージセンサによって読み取った打滴画像からノズルの目詰まりその他の吐出不良をチェックする手段として機能する。
【００６０】
本例の印字検出部２４は、少なくとも各印字ヘッド１２Ｋ，１２Ｃ，１２Ｍ，１２Ｙによるインク吐出幅（画像記録幅）よりも幅の広い受光素子列を有するラインセンサで構成される。このラインセンサは、赤（Ｒ）の色フィルタが設けられた光電変換素子（画素）がライン状に配列されたＲセンサ列と、緑（Ｇ）の色フィルタが設けられたＧセンサ列と、青（Ｂ）の色フィルタが設けられたＢセンサ列と、からなる色分解ラインＣＣＤセンサで構成されている。なお、ラインセンサに代えて、受光素子が二次元配列されて成るエリアセンサを用いることも可能である。
【００６１】
印字検出部２４は、各色の印字ヘッド１２Ｋ，１２Ｃ，１２Ｍ，１２Ｙにより印字されたテストパターンを読み取り、各印字ヘッドの吐出検出を行う。吐出判定は、吐出の有無、ドットサイズの測定、ドット着弾位置の測定などで構成される。
【００６２】
印字検出部２４の後段には、後乾燥部４２が設けられている。後乾燥部４２は、印字された画像面を乾燥させる手段であり、例えば、加熱ファンが用いられる。印字後のインクが乾燥するまでは印字面と接触することは避けたほうが好ましいので、熱風を吹き付ける方式が好ましい。
【００６３】
多孔質のペーパーに染料系インクで印字した場合などでは、加圧によりペーパーの孔を塞ぐことでオゾンなど、染料分子を壊す原因となるものと接触することを防ぐことで画像の耐候性がアップする効果がある。
【００６４】
後乾燥部４２の後段には、加熱・加圧部４４が設けられている。加熱・加圧部４４は、画像表面の光沢度を制御するための手段であり、画像面を加熱しながら所定の表面凹凸形状を有する加圧ローラ４５で加圧し、画像面に凹凸形状を転写する。
【００６５】
こうして生成されたプリント物は排紙部２６から排出される。本来プリントすべき本画像（目的の画像を印刷したもの）とテスト印字とは分けて排出することが好ましい。このインクジェット記録装置１０では、本画像のプリント物と、テスト印字のプリント物とを選別してそれぞれの排出部２６Ａ、２６Ｂへと送るために排紙経路を切り替える不図示の選別手段が設けられている。なお、大きめの用紙に本画像とテスト印字とを同時に並列に形成する場合は、カッター（第２のカッター）４８によってテスト印字の部分を切り離す。カッター４８は、排紙部２６の直前に設けられており、画像余白部にテスト印字を行った場合に本画像とテスト印字部を切断するためのものである。カッター４８の構造は前述した第１のカッター２８と同様であり、固定刃４８Ａと丸刃４８Ｂとから構成される。
【００６６】
また、図１には示さないが、本画像の排出部２６Ａには、オーダー別に画像を集積するソーターが設けられる。
【００６７】
次に、印字ヘッドの構造について説明する。インク色ごとに設けられている各印字ヘッド１２Ｋ，１２Ｃ，１２Ｍ，１２Ｙの構造は共通しているので、以下、これらを代表して符号５０によって印字ヘッドを示すものとする。
【００６８】
本例では、インクジェット記録装置１０によってインク滴を打滴される被吐出媒体に紙類を例示したが、被吐出媒体には紙類以外にも、金属板、樹脂板、木、布、皮など、インクを定着させることができ、印字ヘッド５０に対して相対的に搬送可能であると共に、印字ヘッド５０とのクリアランスを確保できる様々なメディアを適用することができる。
【００６９】
図３(a) は印字ヘッド５０の構造例を示す平面透視図であり、図３(b) はその一部の拡大図である。また、図３(c) は印字ヘッド５０の他の構造例を示す平面透視図、図４はインク室ユニットの立体的構成を示す断面図であり、図４(a) は図３(a) 、(b) 中の４a −４a 線に沿う断面図、図４(b) は図３(b) 中の４b −４b 線に沿う断面図である。
【００７０】
記録紙面上に印字されるドットピッチを高密度化するためには、印字ヘッド５０におけるノズルピッチを高密度化する必要がある。本例の印字ヘッド５０は、図３(a) 〜(c) 及び図４に示したように、インク滴が吐出されるノズル５１と、各ノズル５１に対応する圧力室５２等からなる複数のインク室ユニット５３を主走査方向に対して所定の角度を有するライン上に並ぶノズル列を含むようにマトリックス状に配置させた構造を有し、これにより見かけ上のノズルピッチの高密度化を達成している。
【００７１】
即ち、本実施形態における印字ヘッド５０は、図３(a) 、(b) に示すように、インクを吐出する複数のノズル５１が記録紙搬送方向と略直交する方向に記録紙１６の全幅に対応する長さにわたって配列された１列以上のノズル列を有するフルラインヘッドである。
【００７２】
また、各ノズルには記録紙搬送方向に略平行な方向にノズル５１から吐出されるインク滴の飛翔方向を偏向させる飛翔方向偏向手段１を備えている。飛翔方向偏向手段１はノズル５１を挟んで対向するように記録紙搬送方向に略平行な方向に沿って並べた１対の電極２、３を含んでいる。
【００７３】
更に、図３(c) に示すように、短尺の２次元に配列されたヘッド５０’を千鳥状に配列して繋ぎ合わせて、印字媒体の全幅に対応する長さとしてもよい。
【００７４】
各ノズル５１に対応して設けられている圧力室５２は、その平面形状が概略正方形となっており、対角線上の両隅部にノズル５１と供給口５４が設けられている。各圧力室５２は供給口５４を介して共通流路５５と連通されている。
【００７５】
圧力室５２の天面を構成している加圧板５６には個別電極５７を備えたアクチュエータ５８が接合されており、個別電極５７に駆動電圧を印加することによってアクチュエータ５８が変形してノズル５１からインクが吐出される。インクが吐出されると、共通流路５５から供給口５４を通って新しいインクが圧力室５２に供給される。
【００７６】
図４(a) 、(b) に示した電極２及び電極３の間に電界Ｅ（破線で図示）を発生させると、該電界がノズル５１から吐出されるインク滴に作用して、該インク滴の飛翔方向が本来の飛翔方向から角度θだけずれた方向に偏向される。図４(b) に示すように、電界Ｅの方向は電極２から電極３に向かう方向（即ち、記録紙搬送方向と略平行な方向）である。
【００７７】
ノズル５１から吐出されるインク滴に電界Ｅを作用させると、インク滴の本来の飛翔方向から記録紙搬送方向へ角度θだけ飛翔方向が偏向され、飛翔方向が偏向されたインク滴の着弾位置は、本来の着弾位置ｓから記録紙搬送方向に略平行な方向にｙだけずれた位置ｓ’に着弾位置が偏向される。
【００７８】
即ち、印字ヘッド５０のノズル形成面から記録紙１６までの距離Ｚ、本来のインクの飛翔方向と偏向されたインクの飛翔方向とのなす角（飛翔偏向角度）θ、着弾位置変更量ｙの関係は、次式〔数１〕で表される。
【００７９】
〔数１〕
ｙ＝ｚ×tan θ
かかる構造を有する多数のインク室ユニット５３を図５に示す如く、主走査方向に沿う行方向及び主走査方向に対して直交しない一定の角度θを有する斜めの列方向に沿って一定の配列パターンで格子状に配列させた構造になっている。主走査方向に対してある角度θの方向に沿ってインク室ユニット５３を一定のピッチｄで複数配列する構造により、主走査方向に並ぶように投影されたノズルのピッチＰはｄ× cosθとなる。
【００８０】
即ち、主走査方向については、各ノズル５１が一定のピッチＰで直線状に配列されたものと等価的に取り扱うことができる。このような構成により、主走査方向に並ぶように投影されるノズル列が１インチ当たり2400個（2400ノズル／インチ）におよぶ高密度のノズル構成を実現することが可能になる。以下、説明の便宜上、ヘッドの長手方向（主走査方向）に沿って各ノズル５１が一定の間隔（ピッチＰ）で直線状に配列されているものとして説明する。
【００８１】
なお、用紙の全幅に対応したノズル列を有するフルラインヘッドで、ノズルを駆動する時には、（１）全ノズルを同時に駆動する、（２）ノズルを片方から他方に向かって順次駆動する、（３）ノズルをブロックに分割して、ブロックごとに片方から他方に向かって順次駆動する等の駆動制御が行われ、記録紙１６の幅方向（記録紙搬送方向と直交する方向）に１ライン又は１個の帯状を印字するようなノズルの駆動を主走査と定義する。
【００８２】
特に、図５に示すようなマトリクスに配置されたノズル５１を駆動する場合は、上記（３）のような主走査が好ましい。即ち、ノズル５１-11 、５１-12 、５１-13 、５１-14 、５１-15 、５１-16 を１つのブロックとし（他にはノズル５１-21 、…、５１-26 を１つのブロック、ノズル５１-31 、…、５１-36 を１つのブロック、…として）記録紙１６の搬送速度に応じてノズル５１-11 、５１-12 、…、５１-16 を順次駆動することで記録紙１６の幅方向に１ラインを印字する。
【００８３】
一方、上述したフルラインヘッドと用紙とを相対移動することによって、上述した主走査で形成された１ライン又は１個の帯状の印字を繰り返し行うことを副走査と定義する。
【００８４】
なお、本発明の実施に際してノズルの配置構造は図示の例に限定されない。また、本実施形態では、ピエゾ素子（圧電素子）に代表されるアクチュエータ５８の変形によってインク滴を飛ばす方式が採用されているが、本発明の実施に際して、インクを吐出させる方式は特に限定されず、ピエゾジェット方式に代えて、ヒータなどの発熱体によってインクを加熱して気泡を発生させ、その圧力でインク滴を飛ばすサーマルジェット方式など、各種方式を適用できる。
【００８５】
図６はインクジェット記録装置１０におけるインク供給系の構成を示した概要図である。
【００８６】
インク供給タンク６０はインクを供給するための基タンクであり、図１で説明したインク貯蔵／装填部１４に設置される。インク供給タンク６０の形態には、インク残量が少なくなった場合に、不図示の補充口からインクを補充する方式と、タンクごと交換するカートリッジ方式とがある。使用用途に応じてインク種類を変える場合には、カートリッジ方式が適している。この場合、インクの種類情報をバーコード等で識別して、インク種類に応じた吐出制御を行うことが好ましい。なお、図６のインク供給タンク６０は、先に記載した図１のインク貯蔵／装填部１４と等価のものである。
【００８７】
図６に示したように、インク供給タンク６０と印字ヘッド５０の中間には、異物や気泡を除去するためにフィルタ６２が設けられている。フィルタ・メッシュサイズは、ノズル径と同等若しくはノズル径以下（一般的には、２０μｍ程度）とすることが好ましい。
【００８８】
なお、図６には示さないが、印字ヘッド５０の近傍又は印字ヘッド５０と一体にサブタンクを設ける構成も好ましい。サブタンクは、ヘッドの内圧変動を防止するダンパー効果及びリフィルを改善する機能を有する。
【００８９】
また、インクジェット記録装置１０には、ノズル５１の乾燥防止又はノズル近傍のインク粘度上昇を防止するための手段としてのキャップ６４と、ノズル面の清掃手段としてのクリーニングブレード６６とが設けられている。
【００９０】
これらキャップ６４及びクリーニングブレード６６を含むメンテナンスユニットは、不図示の移動機構によって印字ヘッド５０に対して相対移動可能であり、必要に応じて所定の退避位置から印字ヘッド５０下方のメンテナンス位置に移動される。
【００９１】
キャップ６４は、図示せぬ昇降機構によって印字ヘッド５０に対して相対的に昇降変位される。電源ＯＦＦ時や印刷待機時にキャップ６４を所定の上昇位置まで上昇させ、印字ヘッド５０に密着させることにより、ノズル面をキャップ６４で覆う。
【００９２】
印字中又は待機中において、特定のノズル５１の使用頻度が低くなり、ある時間以上インクが吐出されない状態が続くと、ノズル近傍のインク溶媒が蒸発してインク粘度が高くなってしまう。このような状態になると、アクチュエータ５８が動作してもノズル５１からインクを吐出できなくなってしまう。
【００９３】
このような状態になる前に（アクチュエータ５８の動作により吐出が可能な粘度の範囲内で）アクチュエータ５８を動作させ、その劣化インク（粘度が上昇したノズル近傍のインク）を排出すべくキャップ６４（インク受け）に向かって予備吐出（パージ、空吐出、つば吐き、ダミー吐出）が行われる。
【００９４】
また、印字ヘッド５０内のインク（圧力室５２内）に気泡が混入した場合、アクチュエータ５８が動作してもノズルからインクを吐出させることができなくなる。このような場合には印字ヘッド５０にキャップ６４を当て、吸引ポンプ６７で圧力室５２内のインク（気泡が混入したインク）を吸引により除去し、吸引除去したインクを回収タンク６８へ送液する。
【００９５】
この吸引動作は、初期のインクのヘッドへの装填時、或いは長時間の停止後の使用開始時にも粘度上昇（固化）した劣化インクの吸い出しが行われる。なお、吸引動作は圧力室５２内のインク全体に対して行われるので、インク消費量が大きくなる。したがって、インクの粘度上昇が小さい場合には予備吐出を行う態様が好ましい。
【００９６】
クリーニングブレード６６は、ゴムなどの弾性部材で構成されており、図示せぬブレード移動機構（ワイパー）により印字ヘッド５０のインク吐出面（ノズル板表面）に摺動可能である。ノズル板にインク液滴又は異物が付着した場合、クリーニングブレード６６をノズル板に摺動させることでノズル板表面を拭き取り、ノズル板表面を清浄する。なお、該ブレード機構によりインク吐出面の汚れを清掃した際に、該ブレードによってノズル５１内に異物が混入することを防止するために予備吐出が行われる。
【００９７】
図７はインクジェット記録装置１０のシステム構成を示す要部ブロック図である。インクジェット記録装置１０は、通信インターフェース７０、システムコントローラ７２、メモリ７４、モータドライバ７６、ヒータドライバ７８、プリント制御部８０、画像バッファメモリ８２、ヘッドドライバ８４等を備えている。
【００９８】
通信インターフェース７０は、ホストコンピュータ８６から送られてくる画像データを受信するインターフェース部である。通信インターフェース７０にはＵＳＢ、ＩＥＥＥ１３９４、イーサネット、無線ネットワークなどのシリアルインターフェースやセントロニクスなどのパラレルインターフェースを適用することができる。この部分には、通信を高速化するためのバッファメモリ（不図示）を搭載してもよい。ホストコンピュータ８６から送出された画像データは通信インターフェース７０を介してインクジェット記録装置１０に取り込まれ、一旦メモリ７４に記憶される。メモリ７４は、通信インターフェース７０を介して入力された画像を一旦格納する記憶手段であり、システムコントローラ７２を通じてデータの読み書きが行われる。メモリ７４は、半導体素子からなるメモリに限らず、ハードディスクなど磁気媒体を用いてもよい。
【００９９】
システムコントローラ７２は、通信インターフェース７０、メモリ７４、モータドライバ７６、ヒータドライバ７８等の各部を制御する制御部である。システムコントローラ７２は、中央演算処理装置（ＣＰＵ）及びその周辺回路等から構成され、ホストコンピュータ８６との間の通信制御、メモリ７４の読み書き制御等を行うとともに、搬送系のモータ８８やヒータ８９を制御する制御信号を生成する。
【０１００】
モータドライバ７６は、システムコントローラ７２からの指示にしたがってモータ８８を駆動するドライバ（駆動回路）である。ヒータドライバ７８は、システムコントローラ７２からの指示にしたがって後乾燥部４２等のヒータ８９を駆動するドライバである。
【０１０１】
プリント制御部８０は、システムコントローラ７２の制御に従い、メモリ７４内の画像データから印字制御用の信号を生成するための各種加工、補正などの処理を行う信号処理機能を有し、生成した印字制御信号（印字データ）をヘッドドライバ８４に供給する制御部である。プリント制御部８０において所要の信号処理が施され、該画像データに基づいてヘッドドライバ８４を介して印字ヘッド５０のインク液滴の吐出量や吐出タイミングの制御（打滴制御）が行われる。これにより、所望のドットサイズやドット配置が実現される。
【０１０２】
プリント制御部８０には画像バッファメモリ８２が備えられており、プリント制御部８０における画像データ処理時に画像データやパラメータなどのデータが画像バッファメモリ８２に一時的に格納される。なお、図７において画像バッファメモリ８２はプリント制御部８０に付随する態様で示されているが、メモリ７４と兼用することも可能である。また、プリント制御部８０とシステムコントローラ７２とを統合して一つのプロセッサで構成する態様も可能である。
【０１０３】
また、プリント制御部８０内の偏向制御部８５は、電極駆動部４を介して各ノズルに備えられた電極２及び電極３の駆動を制御する。即ち、印字データに基づいて各ノズルから吐出されるインク滴の飛翔方向を偏向させるときには電極駆動部４に指令信号を与えて、電極２及び電極３間に電界を発生させる。
【０１０４】
ヘッドドライバ８４はプリント制御部８０から与えられる印字データに基づいて各色の印字ヘッド１２Ｋ，１２Ｃ，１２Ｍ，１２Ｙのアクチュエータを駆動する。ヘッドドライバ８４にはヘッドの駆動条件を一定に保つためのフィードバック制御系を含んでいてもよい。
【０１０５】
プログラム格納部（不図示）には各種制御プログラムが格納されており、システムコントローラ７２の指令に応じて、制御プログラムが読み出され、実行される。前記プログラム格納部はＲＯＭやＥＥＰＲＯＭなどの半導体メモリを用いてもよいし、磁気ディスクなどを用いてもよい。外部インターフェースを備え、メモリカードやＰＣカードを用いてもよい。もちろん、これらの記録媒体のうち、複数の記録媒体を備えてもよい。
【０１０６】
なお、前記プログラム格納部は動作パラメータ等の記録手段（不図示）と兼用してもよい。
【０１０７】
印字検出部２４は、図１で説明したように、ラインセンサを含むブロックであり、記録紙１６に印字された画像を読み取り、所要の信号処理などを行って印字状況（吐出の有無、打滴のばらつきなど）を検出し、その検出結果をプリント制御部８０に提供する。
【０１０８】
プリント制御部８０は、必要に応じて印字検出部２４から得られる情報に基づいて印字ヘッド５０に対する各種補正を行う。
【０１０９】
なお、図１に示した例では、印字検出部２４が印字面側に設けられており、ラインセンサの近傍に配置された冷陰極管などの光源（不図示）によって印字面を照明し、その反射光をラインセンサで読み取る構成になっているが、本発明の実施に際しては他の構成でもよい。
【０１１０】
〔打滴制御〕
次に、本インクジェット記録装置１０の打滴制御について詳説する。
【０１１１】
本インクジェット記録装置１０では、同一吐出孔（ノズル５１）から連続的に打滴されるインクによって隣り合うドットが重なるように形成される場合にも、着弾干渉によるドット形状異常の発生を防止する打滴制御が実行される。
【０１１２】
先ず、印字ヘッド５０から打滴されたインク滴によって記録紙１６上に形成されるドットについて説明する。
【０１１３】
図８は、印字ヘッド５０から打滴されたインク滴によって形成されたドット１００、１０２、１０４、１０６を示している。ドット１００は主走査方向に隣り合うドット１０２と一部が重なるように形成され、副走査方向に隣り合うドット１０４と一部が重なるように形成されている。また、斜め方向に隣り合うドット１０６とは重ならないように形成されており、ドット１００とドット１０６とは重なりあう部分はない。
【０１１４】
言い換えると、主走査方向のドットピッチをＰtm、副走査方向のドットピッチをＰts（但し、Ｐtm＝Ｐts＝Ｐt ）、形成されるドットの直径（以下、ドット径と記載）をＤとすると、図８に示したドット１００、１０２、１０４、１０６は、次式〔数２〕に示す関係を有している。
【０１１５】
〔数２〕
Ｄ＝Ｐt ×２ 1/2 
また、図９に示す例では、ドット１００、は斜め方向に隣り合うドット１０６とも一部が重なるように形成されており、ドット１００、１０２、１０４、１０６は、次式〔数３〕に示す関係を有している。
【０１１６】
〔数３〕
Ｄ＝Ｐt ×２
本インクジェット記録装置１０では、副走査方向のドット列 (同一ノズルから打滴されるインク滴によって形成されるドット列）を形成する際に、副走査方向に連続して行われる打滴では、先の打滴或いは後の打滴のうち少なくとも何れか一方の打滴におけるインク滴の飛翔方向を副走査方向に沿って偏向させ、ドットの着弾位置を副走査方向に所定の量だけシフトさせる打滴制御が行われる。また、該シフト量は副走査方向のドットピッチＰtsの整数倍となるように決められる。副走査方向の着弾位置変更量ｙ（本来の着弾位置からの変位量）は、２種類以上の任意の整数Ｉを用いて、次式〔数４〕で表される。
【０１１７】
〔数４〕
ｙ＝Ｉ×Ｐt 
なお、副走査方向の着弾位置変更量ｙには長さの単位（mm、μm 等）が適用される。
【０１１８】
即ち、同一ノズルを用いて連続的に実行される打滴では、隣り合うドットを形成するインク滴は連続して打滴されず、また、副走査方向に連続する打滴では、インク滴の飛翔方向を副走査方向に沿って偏向させて、ノズル直下である本来の着弾位置から副走査方向へＩドット分シフトさせるように打滴制御が行われる。
【０１１９】
言い換えると整数Ｉは副走査方向へ何ドット分シフトさせるかを表す副走査方向のシフト量を表している。
【０１２０】
図１０は、インクジェット記録装置１０によって形成された副走査方向のドット列を時系列順に並べた図である。図１０において、縦の系列は副走査方向を示し、横の系列は左から右へ打滴タイミング（時間）を時間 (時刻）経過順に示している。
【０１２１】
また、実線で示したドットは既に形成されているドットであり、破線で示したドットは次の打滴タイミング以降に形成されるドット（当該タイミングでは形成されていないドット）である。また、２点破線で示したドットは、当該タイミングで打滴が行われ形成されたドットである。
【０１２２】
ドット内に示した数字は打滴順序を示し、該数字の添え字は、符号がシフト方向、数字が副走査方向のシフト量Ｉを表している。シフト方向の＋は記録紙搬送方向（副走査方向）の上流側にインク滴の飛翔方向を偏向させることを示し、−は記録紙搬送方向の下流側にインク滴の飛翔方向を偏向させることを示している。副走査方向のシフト量Ｉを示す数字はドット数で表されている。
【０１２３】
例えば、タイミングｔ1 で打滴されるドット１１０には１+0と表示されている。これはタイミングｔ1 で打滴され、シフト量がゼロの（即ち、シフトさせない）ドットを示している。同様に、タイミングｔ2 で打滴されるドット１１２には２+2と表示されており、これはタイミングｔ2 で打滴され、シフト方向が記録紙搬送方向の上流側方向に２ドット分シフトした位置に飛翔方向が偏向されて打滴が行われる。
【０１２４】
ここで、インク滴の飛翔方向は、「記録紙搬送方向の上流側」を単に「正方向」、「下流側」を単に「負方向」と記載することがある。
【０１２５】
図１０によれば、タイミングｔ1 では飛翔方向が偏向されないドット１１０を形成する打滴が行われる。次の吐出タイミングｔ2 では正方向に２ドット分シフトさせた位置にドット１１２が形成される。更に、タイミングｔ3 では負方向に１ドット分シフトさせた位置にドット１１４が形成され、タイミングｔ4 では正方向に１ドット分シフトさせた位置にドット１１６が形成され、タイミングｔ5 では負方向に２ドット分シフトさせたドット位置にドット１１８が形成される。タイミングｔ6 ではタイミングｔ1 と同様にシフト量がゼロのドット１２０が形成される。
【０１２６】
図１０に示した例では、副走査方向のシフト量Ｉとして０、±１、±２の５種類の整数を適用したが、副走査方向のシフト量Ｉは３種類以上の整数が含まれていればよい。なお、副走査方向のシフト量Ｉに２種類の整数を適用する場合には、連続して打滴される液滴によって形成されるドット間の距離が２ドット分以上（即ち、Ｉ≧２）となるように打滴制御が行われる。
【０１２７】
このようにインク滴の打滴を制御すると、タイミングｔ3 で初めて隣り合うドットを形成するインク滴が打滴される。即ち、タイミングｔ1 の吐出周期の２周期後のタイミングｔ3 で、タイミングｔ1 で打滴されたインクによって形成されるドット１１０に隣り合うドット１１４を形成するインクが打滴されるので、２周期の間にドット１１０のインク滴の浸透または定着が進み、ドット１１４を形成するインク滴が打滴されても着弾干渉が起こらない。
【０１２８】
同様に、タイミングｔ4 ではタイミングｔ2 で打滴されたインク滴によって形成されるドット１１２に隣り合うドット１１６を形成するインク滴が打滴されるが、２周期の間にドット１１２を形成するインク滴の浸透または定着が進み、タイミングｔ4 での副走査方向に隣り合うドット１１６を形成させるインク滴の打滴を行っても着弾干渉は発生しない。
【０１２９】
このように、印字ヘッド５０と記録紙１６との相対関係を変えずに、一定の打滴周期及び一定の搬送速度を保ちながらシングルパス印字を行っても、着弾干渉が起こらず、所定の印字速度を確保できる。なお、打滴周期（吐出周期）、記録紙１６の搬送速度などの打滴制御が変わると、これに合わせて液滴の飛翔方向の偏向条件も変更される。
【０１３０】
図１１には、飛翔偏向制御パターンを示している。図１１では、たて軸には副走査方向のシフト量Ｉ、横軸には副走査方向搬送量（単位、μm ）を示してある。インクジェット記録装置１０は、図１１に示した飛翔偏向制御パターンでは、副走査方向に１μm ごとに、各打滴タイミングにおいて所定のシフト量を持って打滴が行われることを示している。このような飛翔偏向制御パターンを繰り返しながら記録紙１６上に所望の画像を形成させる。ここでは、便宜上Ｐtm＝Ｐts＝Ｐt ＝１μm で説明しているが、解像度１２００dpi の場合、Ｐt ≒１０μm となる。
【０１３１】
ここで、副走査方向にインク滴の飛翔方向を偏向させる方法には特許文献３ (特開平２０００−１７７１１５）に記載された、インクを帯電させ（帯電インクを用いてもよい）インク滴の飛翔空間に電界を作用させて、インク滴の飛翔方向を偏向させる方法を用いてもよいし、特許文献４（特開平２０００−１８５４０３）に記載されたバブル発生ヒータを１ノズルに対して副走査方向に複数備え、これらのヒータを選択的にオンオフさせてインクの飛翔方向を偏向させる方法を用いてもよい。もちろん、インクの飛翔方向を偏向させる方法に上記以外の方法を適用してもよい。
【０１３２】
次に、図１２を用いて説明した打滴制御の変形例を説明する。
【０１３３】
図１２には、図１０に示した打滴制御の変形例を示している。図１２中、図１０と同一又は類似する部分には同一の符号を付し、その説明は省略する。
【０１３４】
図１２では、整数Ｉには−２及び２が適用されている。即ち、１種類の整数をｋとするときに副走査方向のシフト量Ｉと整数ｋとの関係は、次式〔数５〕で表される。
【０１３５】
〔数５〕
Ｉ＝±ｋ
但し、ｋは２以上の正の整数（即ち、２以上の自然数）である。
【０１３６】
図１２に示す変形例では、タイミングｔ1 で打滴されるドット１１０’は正方向に２ドット分シフトさせた位置にドットが形成され、タイミングｔ2 では負方向に２ドット分シフトさせた位置にドット１１２’が形成される。更に、タイミングｔ3 では正方向の２ドット分、タイミングｔ4 では負方向に２ドット分シフトさせた位置にドット１１４’及び１１６’が形成される。タイミングｔ5 以降も交互に正方向に２ドット分、負方向に２ドット分シフトさせた位置にドット１１８’、１２０’、１２２’、１２４’、１２６’、１２８’を形成するように、インク滴の飛翔方向が制御される。
【０１３７】
図１２に示した変形例では、タイミングｔ4 で初めて副走査方向に隣り合うドットを形成する打滴が行われる。即ち、タイミングｔ1 で打滴されたインク滴によって形成されるドット１１０’と隣り合うドット１１６’を形成するインクが打滴されるのはタイミングｔ4 であり、ドット１１０’を形成するインク滴は３周期の間に浸透または定着が進行するので、タイミングｔ4 でドット１１６’を形成するインク滴を打滴しても着弾干渉が発生しない。
【０１３８】
図１２に示した例では隣り合うドットを形成するインク滴の打滴は３周期分の時間が経過後に行われるので、図１０に示した例に比べて１周期分余裕があり、打滴時間間隔を短くすることができる。
【０１３９】
図１３には、図１２に示したドット形成の飛翔偏向制御パターンを示す。図１３に示した飛翔偏向制御パターンを繰り返しながら記録紙１６上に所望の画像を形成させる。
【０１４０】
なお、図１０及び図１２はドット内の数字及び添え字を記載するために隣り合うドットが重なるように表されていないが、実際に形成されるドットは図８及び図９に示すように隣同士が重なっている。
【０１４１】
図１４には、ドット径が異なるドットを副走査方向に連続して形成させる例を示している。ドット２００のドット径はＤ１、ドット２０２のドット径はＤ２、ドット２０４のドット径はＤ３であり、このようなドットを形成させるために、ドット２００を形成する打滴に連続してドット２０４を形成させる打滴が行われる場合、ドット２００とドット２０４が重ならない条件は、次式〔数６〕に示すとおりである。
【０１４２】
〔数６〕
Ｄ1 ＋Ｄ3 ＜２×Ｐts
前記〔数５〕を満足するようにドット径Ｄ1 、Ｄ3 及び副走査方向のドットピッチＰtsを設定すればよい。
【０１４３】
即ち、１つおきのドットが重ならない条件を確保すれば、ドット２００とドット２０４を連続して打滴しても、両ドットの重なる部分がないので、図１０の場合ではドット１１２とドット１１４を連続して打滴することが可能である。
【０１４４】
本例では、副走査方向について着弾干渉を防止する打滴制御について説明したが、図８及び図９に示すように、主走査方向に隣り合うドットも重なり合うように形成されるので、主走査方向に隣り合うドットを形成させるインク滴が同時に記録紙１６上へ着弾しないように打滴制御することが好ましい。
【０１４５】
図５に示すように、マトリクス状に配列されたノズル列を有する印字ヘッド５０では、主走査方向に隣り合うドットを形成するノズルには、例えば、ノズル５１-11 と５１-12 がある。
【０１４６】
ノズル５１-11 と５１-12 とは、副走査方向に距離d ×sin θだけ離れて配置されており、ノズル５１-11 から吐出されるインク滴と５１-12 から吐出されるインク滴とは吐出タイミングがずれているので、着弾時間に差が生じることになる。
【０１４７】
即ち、主走査方向に隣り合うドットを形成させるインク滴を同時に着弾させないためには、主走査方向に隣り合うドットを形成するインク滴を吐出させるノズルを副走査方向に所定の距離だけシフトさせて配置し、主走査方向に隣り合うドットを形成するインク滴の着弾時間に差を設ける。
【０１４８】
着弾時間の差は、記録紙１６の搬送速度、インク滴の飛翔速度、ノズル間の距離（シフト量）、記録紙１６の種類とインクの種類から決まるインクの浸透時間または定着時間から求められる。即ち、インクの浸透時間に合わせて記録紙１６の搬送速度を制御して主走査方向に隣り合うドットを形成するインク滴の好ましい着弾時間の差を実現する。記録紙１６の種類やインクの種類ごとに浸透時間と記録紙１６の搬送速度やインク滴の飛翔速度関係をデータテーブル化してメモリ手段（例えば、図７の画像メモリ７４やシステムコントローラなどのＭＰＵに内蔵されたメモリ等）に記録しておいてもよい。
【０１４９】
図１５は、図８に示した主走査方向及び副走査方向に隣り合うドット同士は重なり合い、斜め方向に隣り合うドットは重ならないドットを形成 (配置）する条件で記録紙１６に形成されるドットを示し、図１６は、図９に示した主走査方向、副走査方向及び斜め方向に隣り合うドット同士が重なり合うドットを形成 (配置）する条件で記録紙１６に形成されたドットを示している。
【０１５０】
図１５及び図１６中、図１０及び図１２と同一又は類似する部分には同一の符号を付し、その説明は省略する。
【０１５１】
図１５では、たて方向の系列は副走査方向を表し、横方向の系列は主走査方向を表している。また副走査方向は図１５中上側が上流側、下側が下流側を示している。
【０１５２】
図１５に示したドット列は、副走査方向には図１０に示した打滴制御が適用される。一方、主走査方向に隣り合うドットを形成するノズルは副走査方向に副走査方向のドットピッチＰtsだけずれて配置されており、主走査方向に隣り合うドットは副走査方向の打滴サイクル分だけ遅れて打滴が行われる。なお、ドット３００、３０２、３０４は図１５では主走査方向に隣り合っていないが、実際に、これらのドットは主走査方向に隣り合うように形成される。
【０１５３】
図１５ではドット内に示した数字が同一であるドットは主走査方向に隣り合うドットである。
【０１５４】
図１６では、主走査方向に隣り合うドットを形成させるノズルは副走査方向に副走査方向のドットピッチの２倍（２×Ｐts）だけずれて配置されている。
【０１５５】
本実施形態では、インク滴の着弾位置を正方向と負方向に交互にシフトさせる態様を例示したが、正方向と負方向を数周期ごとに入れ換える態様を適用してもよい。
【０１５６】
〔印字速度〕
次に、印字速度と本発明に係る打滴制御との関係について説明する。
【０１５７】
図１６には、はがきサイズの記録紙１６を１分間に３５枚印字する場合に形成されるドット列を示している。
【０１５８】
図１６に示した例では、記録紙１６の搬送速度は１．６７mm/secであり、ドット密度を６００dpi とするとドットピッチＰt は４２．２μm になり、打滴周期は２５．３msecになる。
【０１５９】
使用する媒体（記録紙１６）の浸透時間が上述した一般的なインクの浸透時間２０msecを適用できれば、本発明に係る打滴制御を適用しなくても、この搬送速度１．６７mm/secでも着弾干渉せずに印字が可能である。
【０１６０】
しかし、生産能力を上げるために搬送速度を略１０mm/sec（上述した例の略６倍）に高めようとすると、打滴周期は略４．２msecとなるので、本発明に係る打滴制御を適用しないとインクの浸透が間に合わず、着弾干渉が発生しドット形状が崩れてしまい所望の画像を形成することができない。
【０１６１】
そこで、本発明に係る打滴制御を適用して、図１７に示すように、ノズル直下に形成されるドットから４個隣のドット位置に飛翔偏向をシフトさせて記録紙搬送方向の上流側及び下流側交互に飛翔偏向させると、隣り合うドットを形成するインク滴の着弾時間差は７周期分の略２５．３msecになり、浸透時間２０msecより大きくなるので、着弾干渉を防止できる。
【０１６２】
図１７は、副走査方向のシフト量（偏向シフト量）Ｉに±４を適用して形成されたドットを示している。図１７では図１０及び図１２と同様に、横の系列は時間を示し、たての系列は副走査方向（上流側が下方向、下流側が上方向）を示している。また、ドット内に記載されている数字は打滴タイミングを表している。
【０１６３】
図１７によれば、タイミングｔ9 ではタイミングｔ2 で打滴されたインクによって形成されたドット４００と副走査方向に隣り合うドット４０２を形成するインク滴の打滴が行われる。したがって、７周期分の着弾時間の差（略２５．３msec）があり、これは一般的なインクの浸透時間２０msecより大きいので、ドット４００を形成するインク滴が浸透してからドット４０２が打滴されることになる。
【０１６４】
更に、タイミングｔ11以降の打滴では、ドット４００及びドット４０２以外にも隣り合うドットを形成するインク滴の着弾が行われるが、何れの場合にも７周期分以上の着弾時間差を有しているので、着弾干渉が発生せず、所望の画像をえることができる。
【０１６５】
一般に、隣り合うドットが着弾するまでの時間Ｔは、副走査方向のシフト量Ｉ（±ｋ）と打滴周期Ｔf を用いて、次式〔数７〕で表される。
【０１６６】
〔数７〕
Ｔ＝Ｔf ×（２ｋ−１）
この時間T が浸透時間Ｔo より大きくなる（即ち、Ｔ≧Ｔo ）となるように〔数７〕に示したｋを設定すればよい。
【０１６７】
言い換えると、前記〔数７〕を満足するような副走査方向のシフト量Ｉを設定すればよい。これは、次式〔数８〕に示される。
【０１６８】
〔数８〕
ｋ≧｛（Ｔo ／Ｔf ）＋１｝／２
これは、次式〔数９〕をＩについて変形させた式である。
【０１６９】
〔数９〕
Ｔf ×（２ｋ−１）≧Ｔo 
〔飛翔偏向量〕
次に、飛翔偏向量（飛翔角度）について説明する。
【０１７０】
図３及び図４に示すように、本インクジェット記録装置１０にはインクの飛翔方向を偏向させる飛翔方向偏向手段を備えている。
【０１７１】
図４(b) に示すように、印字ヘッド５０のノズル形成面と記録紙１６との距離ｚ（クリアランス）は略２mmである。副走査方向のシフト量ｙ、印字ヘッド５０と記録紙１６とのクリアランスｚからインク滴の飛翔偏向角度θは、次式〔数１０〕で求められる。
【０１７２】
〔数１０〕
θ＝arctan（ｙ／ｚ）
但し、〔数１０〕は〔数１〕をθについて変形させた式である。
【０１７３】
即ち、ドット密度が６００dpi とすると、ドットピッチは４２．２μm になり、図１７に示した副走査方向のシフト量が４ドット分の場合、副走査方向のシフト量ｙは０．０８となり、飛翔偏向角度θは４．８２°(deg) となる。
【０１７４】
また、副走査方向のシフト量を１１ドット分とすると、飛翔偏向角度θは１３．１°になる。
【０１７５】
上記の如く構成されたインクジェット記録装置１０は、少なくとも副走査方向に隣り合うドットが重なるように形成される副走査方向に沿ったドット列を形成する際に、連続した打滴では先の打滴によるインク滴或いは後の打滴によるインク滴のうち少なくとも何れか一方のインク滴の飛翔方向を副走査方向に沿って偏向させるので、連続した打滴では隣り合うドットが形成されず、着弾干渉が発生しない。
【０１７６】
副走査方向にインク滴の飛翔方向を偏向させる際の偏向量は、副走査方向のドットピッチの整数倍（Ｉ倍）に設定される。なお、該偏向方向には正方向及び負方向が含まれていてもよい。更に、打滴制御シーケンスを簡略化させるために該偏向量を副走査方向のドットピッチの±ｋ倍（ｋは２以上の自然数、即ち、Ｉ＝±ｋ）としてもよい。
【０１７７】
隣り合うドットが着弾する時間は副走査方向のシフト量Ｉと副走査方向の打滴周期ＴｆからＴf ×（２ｋ−１）で表される。インクの浸透時間をＴo とすると、Ｔf ×（２ｋ−１）≧Ｔo を満たすＩを設定するように構成されるので、ドット密度、記録紙１６の搬送速度、インクの浸透時間などの種々のパラメータ条件に対して着弾干渉を防止しうる飛翔方向偏向パターンの設定が可能になる。
【０１７８】
また、ノズルが２次元状に配列されたマトリクスヘッドを用いて副走査方向だけでなく主走査方向にも重なるドットを形成させる場合には、主走査方向に隣り合うドットを形成するインク滴を吐出させるノズルを副走査方向に所定の距離だけシフトさせて配置させるように構成すると、主走査方向に隣り合うドットを形成するインク滴の着弾時間に差を設けることができ、高密度打滴に適した２次元配列ノズルの配列パターンを有効に活用することができる。
【０１７９】
本実施形態では、記録紙の記録幅に対応した長さのノズル列を備えたフルライン型の印字ヘッドを例示したが、本発明の適用範囲は上述したフルライン型の印字ヘッドに限定されず、記録紙の記録幅よりも短い長さのノズル列を有し、記録紙の幅方向の往復運動するシャトル式印字ヘッドにも適用可能である。中でも１回のシャトル走査で印字ヘッドが走査した領域の画像を完全に形成終了する１パスシャトル式（シングルパスシャトル式）では特に有効である。
【０１８０】
一方、記録紙の間欠送り量を印字ヘッドの副走査方向の印字長さより小さくして、同じ画像領域を複数回の走査で印字する方式でも本発明の効果を得ることができる。
【０１８１】
図１８を用いて、シングルパスシャトル式を用いて記録紙１６上に印字を行う方法について説明する。
【０１８２】
図１８には、シャトル式印字ヘッドを用いて印字される記録紙１６の印字領域を示している。図１８に示すように、該印字ヘッドのシャトル走査幅（主走査方向の走査幅）は主走査方向の印字可能幅より大きく設定されている。
【０１８３】
１回目のシャトル走査では印字領域５０１の印字が行われる。印字領域５０１の副走査方向の長さは印字ヘッドの印字有効長さと略同一である。
【０１８４】
２回目のシャトル走査では印字領域５０２の印字が行われ、続いて印字領域５０３の印字が行われる。このようにして主走査方向に印字ヘッドを１回走査させると、該印字ヘッドと記録紙１６とを副走査方向へ相対的に移動させて、順次印字が行われる。
【０１８５】
i-1 番目のシャトル走査で印字領域５０４の印字が行われ、i 番目のシャトル走査で印字領域５０５の印字が行われると記録紙１６の全面に印字が行われ、記録紙１６には所望の画像が形成される。
【０１８６】
なお、１回の主走査への移動では、一方方向に印字ヘッドを移動させて当該印字領域の主走査方向への印字を行ってもよいし、印字ヘッドを往復移動させて当該印字領域の主走査方向への印字を行ってもよい。
【０１８７】
即ち、印字領域５０１の印字を行う際には印字ヘッドを主走査方向の一方の方向（例えば、図１８の左から右方向）に移動させ、印字領域５０２の印字を行う際には主走査方向のもう一方の方向（例えば、図１８の右から左の方向）に移動させるように制御してもよい。
【０１８８】
シャトル式印字ヘッドでは、該ヘッドと記録紙１６とを主走査方向に相対移動させる主走査方向移動手段が備えられている。該主走査方向移動手段は固定された記録紙１６に対して印字ヘッドを移動させてもよいし、固定された印字ヘッドに対して記録紙１６を移動させてもよい。また、印字ヘッド及び記録紙１６の両方を移動させてもよい。
【０１８９】
また、隣り合う印字領域（例えば、印字領域５０１と印字領域５０２）の境界では、印字領域が重ならないように制御される。
【０１９０】
本実施形態では液滴の吐出ヘッドとしてインクジェット記録装置に用いられるインクジェットヘッドを例示したが、本発明は、ウエハやガラス基板、エポキシなどの基板類等の被吐出媒体上に液類（水、薬液、レジスト、処理液）を吐出させて画像、回路配線、加工パターンなどの立体形状を形成させる液吐出装置に用いられる吐出ヘッドに適用可能である。
【図面の簡単な説明】
【０１９１】
【図１】本発明の実施形態に係るインクジェット記録装置の基本構成図
【図２】図１に示したインクジェット記録装置の印字周辺の要部平面図
【図３】印字ヘッドの構造例を示す平面透視図
【図４】図３に示した印字ヘッドの立体構造を示す断面図
【図５】図３(a) に示した印字ヘッドのノズル配列を示す拡大図
【図６】本実施形態に係るインクジェット記録装置におけるインク供給部の構成を示した概要図
【図７】本実施形態に係るインクジェット記録装置のシステム構成を示す要部ブロック図
【図８】本実施形態に係るインクジェット記録装置によって形成されるドットを説明する図
【図９】図８に示したドットの他の態様を説明する図
【図１０】本実施形態に係るインクジェット記録装置の打滴制御を説明する図
【図１１】図１０に示した打滴制御における飛翔方向偏向制御のパターンを示す図
【図１２】図１０に示した打滴制御の他の態様を示す図
【図１３】図１２に示した打滴制御における飛翔方向偏向制御のパターンを示す図
【図１４】本発明の実施形態に係るインクジェット記録装置の打滴制御におけるドットピッチとドット径の関係を説明する図
【図１５】本実施形態に係るインクジェット記録装置の主走査方向の打滴制御を説明する図
【図１６】図１５に示した主走査方向の打滴制御の他の態様を説明する図
【図１７】本実施形態に係るインクジェット記録装置の打滴制御を適用して形成されたドットを示す図
【図１８】シャトル式ヘッドのシングルパス印字を説明する図
【符号の説明】
【０１９２】
１０…インクジェット記録装置、１６…記録紙、２２…吸着ベルト搬送部、５０…印字ヘッド、７２…システムコントローラ、８０…プリント制御部、１００，１０２，１０４，１０６，１１０，１１２，１１４，１１６，１１８，１２０，２００，２０２，２０４，３００，３０２，３０４，４００，４０２…ドット
【図１】
2005289053.tif 000003
【図２】
2005289053.tif 000004
【図３】
2005289053.tif 000005
【図４】
2005289053.tif 000006
【図５】
2005289053.tif 000007
【図６】
2005289053.tif 000008
【図７】
2005289053.tif 000009
【図８】
2005289053.tif 000010
【図９】
2005289053.tif 000011
【図１０】
2005289053.tif 000012
【図１１】
2005289053.tif 000013
【図１２】
2005289053.tif 000014
【図１３】
2005289053.tif 000015
【図１４】
2005289053.tif 000016
【図１５】
2005289053.tif 000017
【図１６】
2005289053.tif 000018
【図１７】
2005289053.tif 000019
【図１８】
2005289053.tif 000020